(57)【要約】【課題】簡略な構成で施工性と保守性に優れる膜天井の構造を提供する。【解決手段】膜材３の周縁部にリードバー３ａを固着し、リードバーが装着される装着溝２ｃを有するブリッジハンガー２をスラブ下面に固定し、リードバーを装着溝に係止して膜材を天井材としてスラブ下面側に配設し、装着溝にリードバーの抜け止めとしてのインサートバー５を装着する。装着溝を対の弾性片２ｂにより形成し、各弾性片の先端部に装着溝の内側に向かって折り込まれた係止爪２ｄを設ける。ブリッジハンガーの両端部にはエンドキャップ６を装着する。間接照明機能を有するペンダント式の照明器具を膜材の下面側に配置する。【選択図】図３
2008255697.tif 000002
【特許請求の範囲】
【請求項１】
室内上部にシート状の膜材が天井材として取り付けられることで構成される膜天井の構造であって、
膜材の周縁部にリードバーが固着されるとともに、該リードバーが装着される装着溝を有するブリッジハンガーがスラブ下面に固定されて、前記リードバーが前記装着溝に係止されることによって膜材が天井材としてスラブ下面側に配設されるとともに、前記装着溝に前記リードバーの抜け止めとしてのインサートバーが装着されてなることを特徴とする膜天井の構造。
【請求項２】
請求項１記載の膜天井の構造であって、
ブリッジハンガーにおける装着溝は、リードバーおよびインサートバーを重ねた状態で挟み込む対の弾性片からなり、各弾性片の先端部には装着溝の内側に向かって折り込まれた係止爪を有してなることを特徴とする膜天井の構造。
【請求項３】
請求項１または２記載の膜天井の構造であって、
ブリッジハンガーの両端部には、装着溝の両端開口部を塞ぐエンドキャップを装着してなることを特徴とする膜天井の構造。
【請求項４】
請求項１〜３のいずれかに記載の膜天井の構造であって、
スラブ下面から吊り下げられるペンダント式の照明器具を膜材の下面側に配置するとともに、該照明器具を吊り下げるための吊り材を膜材の側方を通過させて設けてなることを特徴とする膜天井の構造。
【請求項５】
請求項４記載の膜天井の構造であって、
照明器具は膜材を下面側から照射する間接照明機能を有することを特徴とする膜天井の構造。
【発明の詳細な説明】
【技術分野】
【０００１】
本発明は、シート状の膜材を天井材として室内上部に取り付けることによって天井を構成する膜天井の構造に関する。
【背景技術】
【０００２】
この種の膜天井としてはいわゆる光天井、すなわち天井面に設置する照明器具を透光性を有する膜材によって隠蔽することによって天井面全体あるいはその一部があたかも発光しているかのような意匠の天井を構成するものが一般的である。そして、そのような従来一般の光天井は照明器具のランプ交換や保守点検作業の必要性から、剛性を有するフレームに膜材を張り込んでパネルとし、そのパネルを天井面に取り付けた受けフレームにはめ込むという構造のものが最も一般的である。
【０００３】
また、たとえば特許文献１には照明器具を収容した凹所を光透過性膜材により覆うようにした光膜天井についての開示があり、特許文献２には透光性のある膜材をロール状に巻き取り可能とした照明器具カバーによって天井を構成することについての開示がある。
【特許文献１】特開２００５−８２９７７号公報
【特許文献２】特開２００６−２２５８６７号公報
【発明の開示】
【発明が解決しようとする課題】
【０００４】
しかし、天井材としての膜材をパネル化して使用することでは膜材自体の軽量性や意匠的な特性を充分に生かせるものではないし、パネル化するがために部材構成が複雑となってコスト高ともなり、その施工や保守も必ずしも簡易かつ容易に行えるものではない。
また、特許文献１や特許文献２に示されるものはパネル化するものではないが、膜材を着脱するための機構や操作が複雑で面倒でもあるし、照明器具に対する保守作業を必要とする点ではパネル化する場合と事情は同じであり、以上のことから特許文献１〜２に示されるものも含めて膜材を使用した従来一般の光天井は広く普及するに至っていない。
【０００５】
上記事情に鑑み、本発明は構成が簡略でコスト削減を図ることができ、施工性や保守性にも優れる有効適切な膜天井の構造を提供することを目的としている。
【課題を解決するための手段】
【０００６】
本発明は室内上部にシート状の膜材が天井材として取り付けられることで構成される膜天井の構造であって、膜材の周縁部にリードバーが固着されるとともに、該リードバーが装着される装着溝を有するブリッジハンガーがスラブ下面に固定されて、前記リードバーが前記装着溝に係止されることによって膜材が天井材としてスラブ下面側に配設されるとともに、前記装着溝に前記リードバーの抜け止めとしてのインサートバーが装着されてなることを特徴とする。
【０００７】
本発明においては、ブリッジハンガーにおける装着溝をリードバーおよびインサートバーを重ねた状態で挟み込む対の弾性片により形成し、各弾性片の先端部には装着溝の内側に向かって折り込まれた係止爪を有するものとすることが好ましい。
また、ブリッジハンガーの両端部には、装着溝の両端開口部を塞ぐエンドキャップを装着すると良い。
【０００８】
さらに、スラブ下面から吊り下げられるペンダント式の照明器具を膜材の下面側に配置するとともに、該照明器具を吊り下げるための吊り材を膜材の側方を通過させて設ければ良い。
その照明器具は膜材を下面側から照射する間接照明機能を有するものとすることが考えられる。
【発明の効果】
【０００９】
本発明によれば、スラブ下面に固定したブリッジハンガーに、膜材の周縁部に予め固着したリードバーとその抜け止めとしてのインサートバーとを挿入することのみで、好ましい意匠の膜天井を極めて簡単かつ単純な作業で施工することができることはもとより、部品点数が少なく、各部品はいずれも軽量かつ単純な形状で安価に製作でき、膜材および各部品を所定規格で予め工場製作しておくことにより施工精度の確保と現場作業の軽減を充分にはかることができ、したがって在来のボード天井や従来一般の光天井に比べて天井施工に係わる工期短縮と工費削減を充分に図ることができる。
【００１０】
特に、照明器具を膜材の下面側に設置することにより、ランプ交換をはじめとする照明器具に対する保守管理を天井材としての膜材とは係わりなく自由に行うことができるし、照明器具に間接照明機能を持たせて膜材を下面側から照射することにより室の用途や使用状況に応じた好ましい意匠や演出効果が得られる。
【発明を実施するための最良の形態】
【００１１】
本発明の実施形態である膜天井を図１〜図５を参照して説明する。本実施形態の膜天井は図１〜図２に示すように、スラブ１の下面に固定したブリッジハンガー２によって膜材３を弛ませて吊り下げた状態で保持することによって、その膜材３を装飾用の天井材として室内上部に取り付けることを基本的な構造とするものである。
【００１２】
天井材としての膜材３は、たとえばガラスクロス基布とアクリル樹脂系の複合材料からなる柔軟かつ軽量なシート状のもので、天井材に要求される不燃性を有するとともに、透光性は有しておらず、その表面には塗装あるいは適宜の装飾手法によって任意の色や模様、図柄、絵柄をつけることができるものである。
膜材３の大きさは任意であるが、本実施形態においてはたとえば幅１ｍ程度、長さ２ｍ程度の定尺寸法とされ、その両端部には図３〜図４に示すようにリードバー３ａが一体に固着されている。リードバー３ａとしてはたとえば塩ビ材等の樹脂材料あるいはアルミ材等の金属材料からなる帯板を使用し、膜材３の制作時に接着や巻き込み、嵌め込み等の適宜手法によってその周縁部に予め固着すれば良い。
【００１３】
ブリッジハンガー２はたとえばアルミ材等の金属材料あるいは塩ビ材等の樹脂材料からなる成型品であって、図３〜図４に示すようにスラブ１下面に対して吊りボルト４により固定されるコ字状の本体部２ａと、その下部に一体に形成された対の弾性片２ｂ、２ｂによって膜材３を係止するための装着溝２ｃを有するものである。
装着溝２ｃは膜材３のリードバー３ａおよびその抜け止めとなるインサートバー５が装着されるものであり、弾性片２ｂの先端部には係止爪２ｄが装着溝２ｃの内側に向かって折り込まれる形状で形成されている。
【００１４】
インサートバー５はたとえば塩ビ材等の樹脂材料あるいはアルミ材等の金属材料もしくがゴム等の弾性材料からなる長尺の成型部品であって、図４に示すものはその断面形状が略Ｕ字形状とされ、開口部を下向きとした状態で膜材３のリードバー３ａとともに装着溝２ｃ内に装着されることによってリードバー３ａを装着溝２ｃの弾性片２ｂに対して押圧して膜材３を保持するとともに、係止爪２ｄとの係合により不用意な脱落を防止して膜材３の抜け止めとして機能するものである。
【００１５】
また、図３に示すように、ブリッジハンガー２の両端部には装着溝２ｃの両端開口部を塞ぐエンドキャップ６が装着されるようになっている。そのエンドキャップ６もたとえば塩ビ材等の樹脂材料あるいはアルミ材等の金属材料からなり、コ字状の成型部品としてその内側には爪を形成しておき、ブリッジハンガー２には爪を引っ掛けて係止するための係止穴２ｅを予め形成しておくと良い。なお、エンドキャップ６を粘着機能を持ったアルミ等の金属系の薄厚テープによってブリッジハンガー２に貼り付けるようにしても良い。
【００１６】
上記の膜天井を施工するには、図４に示すように、スラブ１施工時に打ち込んだインサートに吊りボルト４（たとえば全ネジボルト）を取り付けるか、あるいは、スラブ面にドリル等にて穿孔した箇所にインサートアンカーを取り付け、そこに吊りボルト４を取り付けるか、又は、穿孔した箇所にグリップアンカー（登録商標）を取り付けることもできる。又、予めボルトが取り付けられているボルトプレートを各種のアンカー等によりスラブ面に直接取り付けることもできる。
そのようにしてブリッジハンガー２を所定位置に固定してレベル及び通りの調整を行う。レベルの調整はナット７により行い、通りの調整のために吊りボルト４を通す取付孔２ｆ（図３参照）を幅方向に長穴としておくと良い。なお、レベル調整が不要な場合等には、吊りボルト４を使用せずにブリッジハンガー２をスラブ下面にビス止めする等して直接固定しても勿論良い。
【００１７】
そして、ブリッジハンガー２の装着溝２ｃに膜材３のリードバー３ａを差し込み、膜材３の通りを調整した後、装着溝２ｃにインサートバー５を差し込む。その際、装着溝２ｃを形成している左右の弾性片２ｂは図４（ｂ）に示すように外側に弾性的に若干広がってリードバー３ａおよびインサートバー５の挿入を容易にかつ簡単に行うことができ、挿入後にはその弾性付勢力によってリードバー３ａおよびインサートバー５を両側から挟む込む状態でそれらを確実に保持して、膜材３の不用意な脱落を防止する。
最後にブリッジハンガー２の両端部にエンドキャップ６を取り付ければ、装着溝２ｃの開口端が閉じられて意匠的に好ましい外観が得られるし、装着溝２ｃが不用意に開いてしまうことも防止される。
膜材３を取り外す際には、エンドキャップ６を取り外して弾性片２ｂを両側にわずかに押し広げることのみで、インサートバー５と係止爪２ｄとの係合が解除されてインサートバー５およびリードバー３ａを支障なく取り外すことができるから、膜材３の交換や清掃等の保守作業も支障なく行うこともできる。
【００１８】
なお、図３〜図４はブリッジハンガー２の両側に２枚の膜材３を取り付ける場合（１つのブリッジハンガー２が２枚の膜材３を同時に保持する場合）の例であり、したがって装着溝２ｃ内には２枚のリードバー３ａの間にインサートバー５を挟み込んだ状態で装着することになるから、その状態で適正な弾性保持力が得られるように各部の寸法や厚みを設定しておくと良い。
また、壁際等においてブリッジハンガー２の片側に１枚の膜材３のみを取り付ける場合（１つのブリッジハンガー２が１枚の膜材３のみを保持する場合）にも、基本的には上記と同様の構造で膜材３を保持することができるが、その場合は装着溝２ｃ内にリードバー３ａが１枚しか装着されないことになるから、弾性片２ｂによる保持力が充分に確保できないような場合には、必要に応じてここではリードバー３ａの厚みを倍増させておくか、リードバー３ａの１枚分の厚みに相当する適宜のスペーサを加えるか、リードバー３ａの厚み相当分だけ厚く形成したインサートバー５を用いると良い。
【００１９】
また、膜材３を弛ませる程度は、その膜材３の両端部を保持するブリッジハンガー２の間隔に対して膜材３の長さを調節する（換言すれば、膜材３の長さに対してブリッジハンガー２の間隔を調節する）ことで自由に設定できることはいうまでもない。そして、各膜材３の弛みを均等にしても、あるいは様々に異ならせることも勿論可能であるし、場合によっては膜材３の長さをブリッジハンガー２の間隔と同等として膜材３を弛ませることなくそれらの間に張設することも不可能ではない。
【００２０】
以上のように、本実施形態の膜天井はスラブ１下面に固定したブリッジハンガー２に膜材３のリードバー３ａとインサートバー５とを挿入することのみで、好ましい意匠の膜天井を極めて簡単かつ単純な作業で施工することができるものであることはもとより、部品点数が少なく、各部品はいずれも軽量かつ単純な形状で安価に製作できるものであり、膜材および各部品を所定規格で予め工場製作しておくことにより現場作業の軽減と施工精度を充分に確保でき、以上のことから在来のボード天井や従来一般の光天井に比べて天井施工に係わる工期短縮と工費削減を充分に図ることができる。
また、膜材３はブリッジハンガー２間で１パーツ毎にセパレートされているので、施工取り扱いが良い、パーツ毎の交換ができて保守性が良い、パーツ毎の変化（色、柄、長さ等）ができる、梱包形態や輸送が簡単である、工期の短縮、メンテナンスコストおよび管理コストの削減、簡単に撤去できる、大空間天井を軽量なパーツで容易に施工することができる、といった利点がある。
【００２１】
ところで、上述したように従来一般の光天井は膜材により照明器具を隠蔽することを主眼としており、本発明の膜天井もそのような光天井とすることは不可能ではなく、その場合は必要に応じて膜材３に透光性を持たせることでも良い。
その場合、膜材３を弛ませて取り付けていれば、照明器具のランプ交換や保守交換の際にもその作業を膜材３の側方から行うことも可能であるので膜材３を取り外す手間をなくすことができるが、必要であれば従来の光天井と同様に膜材３を取り外して保守を行うことでも良く、その場合にも上記のように膜材３の着脱は容易に行い得るので従来一般の光天井に比べてそのための手間を大幅に軽減することができる。
【００２２】
しかし、本発明の膜天井では照明器具を隠蔽する光天井として構成するよりも、ペンダント式の照明器具を使用してそれを膜材３よりも下方位置に設置することが好ましい。
具体的には、図１〜図２に示すようにペンダント式の照明器具８をスラブ１下面から吊り下げて膜材３よりも低い位置に設置すると良く、その場合には照明器具８を吊り下げるためのコードやチェーンあるいは吊りボルト等の吊り材８ａを、図２（ｂ）に示すように膜材３の側方（隣り合う膜材３の間の若干の隙間）を通過させて設置することで吊り材８ａと膜材３との干渉を回避することができる。
【００２３】
なお、照明器具８として図示例のように蛍光灯による長い器具を用いる場合は、図２（ｂ）に示すように膜材３の間の若干の隙間の直下の位置において膜材３ａの長さ方向に沿って配置するか、あるいはそれと直交ないし任意角度で交差する方向に配置すれば良い。勿論、蛍光灯による長い器具のみならず白熱灯等によるペンダント式のスポット照明器具等も使用可能である。いずれにしても、吊り材８ａを膜材３と干渉しない位置に設置する限りは膜材３の下方位置における照明器具８の配置パターンは自由に設定できる。
【００２４】
また、照明器具８としては室内に対する直接照明専用の器具でも良いが、膜材３を下面側からも照射する間接照明機能を有するものとすることが考えられ、たとえば上下両方向に配光するものや、室の用途によっては上方にのみ配光する間接照明専用の器具を用いて直接照明は他の照明器具によることでも良い。勿論、様々な形式、意匠、目的の照明器具を自由に組み合わせて設置することも可能である。
【００２５】
上記のように照明器具８を膜材３の下面側に設置することで、ランプ交換をはじめとする保守管理を天井材としての膜材３とは係わりなく自由に行うことができるばかりでなく、特に照明器具８に間接照明機能を持たせて膜材３を下面側から照射することにより、膜材３に所望の色や模様、絵柄等のデザインを加えることと併せて室の用途や使用状況に応じた好ましい意匠や演出効果が得られる。
【００２６】
以上で本発明の一実施形態を説明したが、上記実施形態あくまで好適な一例であって、本発明は上記実施形態に限定されるものではなく、天井材としての膜材３をブリッジハンガー２により吊り下げて設置することを基本として、ブリッジハンガー２の装着溝２ｃに膜材３のリードバー３ａと抜け止めとしてのインサートバー５を装着するように構成する限りにおいて、各部品の形状や素材、寸法、施工手順、その他については適宜の設計的変更が可能であることはいうまでもない。
特に、インサートバー５としては図４に示したものに限らず、係止爪２ｄ間の隙間から装着溝２ｃ内に挿入されて係止爪２ｄ間の隙間から脱落することがなく、また、弾性片２ｂの弾性を活用してリードバー３ａを保持してその脱落を防止できるものであれば良く、その限りにおいて適宜の形状、素材のものが考えられる。
たとえば、図５（ａ）に示すインサートバー５１は、図４に示したものと同様の略Ｕ字形状のものではあるが、それとは逆に開口部を上向きとした状態でその上部を弾性変形させながら装着溝２ｃに装着するようにしたものである。
図５（ｂ）に示すインサートバー５２は、弾性のあるウレタン等の発泡材やゴム材を素材とする円形断面ないし楕円形断面のもので、装着溝２ｃ内に押し込まれてそれ自身の弾性によりリードバー３ａを保持するものである。
図５（ｃ）に示すインサートバー５３は、樹脂材、金属材、弾性材からなる矢じり形状のもので、弾性片２ｂを押し開きながら装着溝２ｃ内に押し込まれてリードバー３ａを押圧して保持するとともに、係止爪２ｄに係止されて脱落が防止される形状とされたものである。
なお、本発明の膜天井は、新築建物に適用するのみならず既存建物の内装を改修したりリニューアルする場合にも適用可能である。
【図面の簡単な説明】
【００２７】
【図１】本発明の実施形態である膜天井の構造を示す図である。
【図２】同、立断面図である
【図３】同、ブリッジハンガーに対する膜材の取り付け構造の詳細を示す図である。
【図４】同、断面図である。
【図５】同、インサートバーの他の例を示す図である。
【符号の説明】
【００２８】
１  スラブ
２  ブリッジハンガー
２ａ  本体部
２ｂ  弾性片
２ｃ  装着溝
２ｄ  係止爪
２ｅ  係止穴
２ｆ  取付孔
３  膜材
３ａ  リードバー
４  吊りボルト
５，５１，５２，５３  インサートバー
６  エンドキャップ
７  ナット
８  照明器具
８ａ  吊り材
【図１】
2008255697.tif 000003
【図２】
2008255697.tif 000004
【図３】
2008255697.tif 000005
【図４】
2008255697.tif 000006
【図５】
2008255697.tif 000007